(57)【要約】【課題】  光ディスクが記録済みであるか否かを的確に判別することができる光ディスク装置を提供する。  【解決手段】  光ディスク装置に光ディスクが装着されるとリードパワー調整が行われる。リードパワーの最適値が決定されたときは、記録済みの光ディスクを正常に再生できると判別する。またリードパワーの調整中に、例えばセクタシンク割り込み処理を行うことにより光ディスクの管理領域を読み取り、ＲＦ信号のＰ−Ｂ値を検出する。ＲＦ信号のＰ−Ｂ値を閾値と比較し、Ｐ−Ｂ値が１回でも閾値を超えればＲＦ ＯＫ ＦＬＧを０以外とし、超えなければＲＦ ＯＫ ＦＬＧを０とする。リードパワーの最適値の設定ができない場合に、ＲＦ ＯＫ ＦＬＧが０以外であればブランクディスクと判別し、ＲＦ ＯＫ ＦＬＧが１であればＲＦ信号は検出されるがデータを読めないためリードエラーと判別する。【選択図】  図１１
2005222665.tif 000002
【特許請求の範囲】
【請求項１】
光ディスクに対して信号を記録し、光ディスクから信号を再生する光ディスク装置において、
上記光ディスクの管理領域を読み取ることにより得られる再生信号の振幅と閾値とを比較し、
上記振幅が上記閾値を超えたときは上記光ディスクを記録済みディスクと判別し、
上記振幅が上記閾値を超えないときは上記光ディスクをブランクディスクと判別する光ディスク装置。
【請求項２】
上記光ディスクを再生するためにレーザ光のリードパワー調整を行い、
上記リードパワー調整時に上記振幅と上記閾値との比較を行い、
上記リードパワーの最適値が設定できないときは上記光ディスクを記録済みと判別し、
上記リードパワーの最適値が設定できず、上記振幅が上記閾値を超えたときはリードエラーと判別し、
上記リードパワーの最適値が設定できず、上記振幅が上記閾値を超えないときは上記光ディスクをブランクディスクと判別する請求項１に記載の光ディスク装置。
【請求項３】
上記リードパワー調整は、上記リードパワーを変化せながら所定の回数行われる請求項２に記載の光ディスク装置。
【請求項４】
光ディスクに対して信号を記録し、光ディスクから信号を再生する光ディスク装置のブランクディスク判別方法において、
上記光ディスクの管理領域を読み取ることにより得られる再生信号の振幅と閾値とを比較するステップと、
上記振幅が上記閾値を超えたときは記録済みディスクと判別し、上記振幅が上記閾値を超えないときはブランクディスクと判別するステップとからなるブランクディスク判別方法。
【発明の詳細な説明】
【技術分野】
【０００１】
この発明は、光ディスク装置およびブランクディスク判別方法に関する。
【背景技術】
【０００２】
今日、情報記録媒体として用いられる光ディスクの一つとして、ミニディスク（以下、ＭＤ（Mini Disc ）と表記する）が知られている。ＭＤは、直径６４mmの光磁気ディスクであり、オーディオデータの記録・再生に使用される。オーディオデータは、ＡＴＲＡＣ(Adaptive Transfer Acoustic Coding) 方式でデータ量が１／５〜１／１０に圧縮されて記録される。例えば１枚のＭＤに８０分の音楽の記録が可能とされている。
【０００３】
ＭＤをオーディオ用以外の汎用性のあるストレージメディアとして利用することを目的として、固有の管理領域（Ｐ−ＴＯＣ、Ｕ−ＴＯＣ）による管理方式に加えて、ファイルシステムにＦＡＴ(File Allocation Table) システムを導入することが下記の特許文献１に記載されている。
【０００４】
【特許文献１】特開２００３−１０００１８号公報
【０００５】
また、特許文献１には、既存のオーディオ用ＭＤと同一のメディアを使用して高密度記録技術を採用することによって、オーディオ用ＭＤの記録容量（１４０ＭＢ）の約２倍（２９７ＭＢ）の高密度化を達成できることが記載されている。
【０００６】
すなわち、ディジタル変調方式をＥＦＭからＲＬＬ（１，７）ＰＲ方式(ＲＬＬ：Run Length Limited、ＰＰ(Parity preserve/Prohibitrmtr(repeated minimum transition runlength))に変更することによって、ウインドマージンを向上させ、１．３３倍の高密度化が達成される。また、誤り訂正方式をＣＩＲＣ(Cross Interleaved Reed-Solomon Code)方式からＢＩＳ(Burst Indicator Subcode)付きのＲＳ−ＬＤＣ(Reed-Solomon-Long Distance Code)方式を用い、セクター構造を変更し、ビタビ復号を用いる方式によって、データ効率を向上でき、記録密度を１．４８倍を実現できる。総合的にオーディオ用ＭＤの１．９８倍の記録容量を実現することが可能となる。
【０００７】
さらに、ＤＷＤＤ(Domain Wall Displacement Detection)によって面記録密度を向上させることによって、ＭＤと同一径のメディアに約１ＧＢのデータの記録が可能となる。ＤＷＤＤは、光磁気ディスクで使用される磁区拡大再生技術の一つである。例えば下記特許文献２には、ＤＷＤＤについての技術が開示されている。
【０００８】
【特許文献２】特開平６−２９０４９６号公報
【０００９】
図１４は、特許文献２に開示されている光磁気ディスクの一部断面を拡大して示す。参照符号１５１が基板を示し、参照符号１５２が誘電体層を示し、参照符号１５３が磁性層を示し、参照符号１５４が誘電体層を示す。参照符号１５５がグルーブであり、参照符号１５６がランドである。
【００１０】
磁性層１５３は、第１の磁性層、第２の磁性層および第３の磁性層が順次積層されたものである。第１の磁性層が周囲温度近傍の温度において第３の磁性層に比して相対的に磁壁抗磁力が小さく磁壁移動度が大きな垂直磁化膜からなり、第２の磁性層は、第１の磁性層および第３の磁性層よりもキューリ温度が低い磁性層からなり、第３の磁性層が垂直磁化膜とされている。そして、データ信号の記録は、媒体を移動させながら、第３の磁性層がキューリ温度以上になるようなパワーレーザ光を照射しながら外部磁界を変調してなされる。
【００１１】
記録可能なＭＤにおいては、ディスク径方向に微小な振幅（例えば３０ｎｍ）で振動するウォブルグルーブが予め形成され、グルーブ内にデータを記録するようにしている。ＭＤでは、３６セクタを単位としたクラスタ毎にデータを記録する。ディスク上のアドレスは、クラスタアドレスおよびセクタアドレスとからなる。このアドレスは、メインチャンネルのデータのセクタヘッダに挿入され、また、ＡＤＩＰ(Address In Pregroove)にも成形記録されている。すなわち、ディスクの全体にわたってアドレス情報で変調をかけた２２．０５ｋHzの周波数の正弦波信号によってウォブルされたグルーブをディスク製造時に形成している。
【発明の開示】
【発明が解決しようとする課題】
【００１２】
光ディスクに例えばオーディオデータなどのデータが記録されているか否かを判別する方法としては、Ｕ−ＴＯＣに一定のリードパワーのレーザ光を照射し、Ｕ−ＴＯＣを構成するセクタのセクタシンク（セクタシンク同期信号を意味する。）の有無により判別する方法がある。上述の大容量光ディスクは、ディスク毎にリードパワーの最適値が異なるという特性を有するため、はじめにリードパワーの設定をする必要がある。
【００１３】
例えば、光ディスクに記録されているデータが破損しているなどはリードパワーの調整ができず、管理領域のデータを読むことができないため、データ自体は存在するのにユーザにはブランクディスク（データが記録されていないディスク）などと表示されてしまう。このため、破損データの復元ができる可能性があるにもかかわらずブランクディスクと表示されたため、ユーザは別のデータを光ディスクに上書きしてしまうという問題がある。
【００１４】
また、再生装置自体に不良がある場合にもリードパワーの調整ができないためユーザにはブランクディスクと表示され、別のデータを上書きしてしまう問題がある。即ち、光ディスクを再生するときにリードパワーの調整が必要な場合は、管理領域のデータを読み取ることができる若しくはできないということによりディスクが記録済みか否かを判別することは好ましくない。
【００１５】
したがって、この発明の目的は、光ディスクにデータが記録されているか否か、またデータが記録されているにも関わらずデータを読み取ることができない所謂リードエラーの状態かを的確に判別することができる光ディスク装置およびブランクディスク判別方法を提供することにある。
【課題を解決するための手段】
【００１６】
上述した課題を解決するために、この発明による光ディスクの装置は、
光ディスクに対して信号を記録し、光ディスクから信号を再生する光ディスク装置において、
光ディスクの管理領域を読み取ることにより得られる再生信号の振幅と閾値とを比較し、
振幅が閾値を超えたときは光ディスクを記録済みディスクと判別し、
振幅が閾値を超えないときは光ディスクをブランクディスクと判別する光ディスク装置である。
【００１７】
この発明によるブランクディスク判別方法は、
光ディスクに対して信号を記録し、光ディスクから信号を再生する光ディスク装置のブランクディスク判別方法において、
光ディスクの管理領域を読み取ることにより得られる再生信号の振幅と閾値とを比較するステップと、
振幅が閾値を超えたときは記録済みディスクと判別し、振幅が閾値を超えないときはブランクディスクと判別するステップとからなるブランクディスク判別方法である。
【発明の効果】
【００１８】
この発明によれば、光ディスクにデータが記録され正常に再生できるか、光ディスクにデータが記録されているにも関わらず再生できない状態（リードエラー）か、また光ディスクにデータが記録されていない状態（ブランクディスク）かを正しく判別することができるため、ユーザが記録済みディスクに誤って別のデータを上書きしてしまうことを防ぐことができる。
【発明を実施するための最良の形態】
【００１９】
以下、この発明の一実施形態について図面を参照しながら説明する。最初に、この発明を適用できる光ディスク装置の一例について説明する。
【００２０】
この発明の一実施形態による光ディスク装置では、記録媒体として光磁気ディスクが使用される。フォームファクタのような、ディスクの物理的属性は、いわゆるＭＤ(Mini-Disc) システムによって使用されるディスクと実質的に同じである。しかし、ディスク上に記録されたデータと、そのデータがどのようにディスク上に配置されているかについては、従来のＭＤと異なる。
【００２１】
より具体的には、この一実施形態では、ファイル管理システムとしてＦＡＴ(File Allocation Table) システムを使用している。これによって、当該装置は、現行のパーソナルコンピュータに対して互換性を保証することができる。ここでは、「ＦＡＴ」又は「ＦＡＴシステム」という用語は、種々のＰＣベースのファイルシステムを指すのに総称的に用いられる。
【００２２】
また、一実施形態では、現行のＭＤシステムに対して、エラー訂正方式や変調方式を改善することにより、データの記録容量の増大を図るとともに、データの信頼性を高めるようにしている。更に、コンテンツデータを暗号化するとともに、不正コピーを防止して、コンテンツデータの著作権の保護が図れるようにしている。
【００２３】
記録再生のフォーマットとしては、現行のＭＤシステムで用いられているディスクと全く同様のディスク( すなわち、物理媒体）を用いるようにした次世代ＭＤ１の仕様と、現行のＭＤシステムで用いられているディスクとフォームファクター及び外形は同様であるが、ＤＷＤＤ技術を使うことにより、線記録方向の記録密度を上げて、記録容量をより増大した次世代ＭＤ２の仕様とがある。
【００２４】
現行のＭＤシステムでは、カートリッジに収納された直径６４ｍｍの光磁気ディスクが記録媒体として用いられている。ディスクの厚みは１．２ｍｍであり、その中央に１１ｍｍの径のセンターホールが設けられている。カートリッジの形状は、長さ６８ｍｍ、幅７２ｍｍ、厚さ５ｍｍである。
【００２５】
次世代ＭＤ１の仕様でも次世代ＭＤ２の仕様でも、これらディスクの形状やカートリッジの形状は、全て同じである。リードイン領域の開始位置についても、次世代ＭＤ１の仕様および次世代ＭＤ２の仕様のディスクも、２９ｍｍから始まり、現行のＭＤシステムで使用されているディスクと同様である。
【００２６】
トラックピッチについては、次世代ＭＤ２では、１．２μｍから１．３μｍ（例えば１．２５μｍ）とすることが検討されている。これに対して、現行のＭＤシステムのディスクを流用する次世代ＭＤ１では、トラックピッチは１．６μｍとされている。ビット長は、次世代ＭＤ１が０．４４μｍ／ビットとされ、次世代ＭＤ２が０．１６μｍ／ビットとされる。冗長度は、次世代ＭＤ１および次世代ＭＤ２ともに、２０．５０％である。
【００２７】
次世代ＭＤ２の仕様のディスクでは、ＤＷＤＤ技術を使うことにより、線密度方向の記録容量を向上するようにしている。ＤＷＤＤ技術は、所定の温度になると、切断層が磁気的にニュートラルな状態になり、再生層に転写されていた磁壁が移動することで、微少なマークがビームスポットの中で大きく見えるようになることを利用したものである。
【００２８】
すなわち、次世代ＭＤ２の仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００２９】
また、次世代ＭＤ２の仕様のディスクでは、デトラックマージン、ランドからのクロストーク、ウォブル信号のクロストーク、フォーカスの漏れを改善するために、グルーブを従来のＭＤディスクより深くし、グルーブの傾斜を鋭くしている。次世代ＭＤ２の仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
【００３０】
また、光学的の仕様については、次世代ＭＤ１の仕様では、レーザ波長λが７８０ｎｍとされ、光学ヘッドの対物レンズの開口率ＮＡが０．４５とされている。次世代ＭＤ２の仕様も同様に、レーザ波長λが７８０ｎｍとされ、光学ヘッドの開口率ＮＡが０．４５とされている。
【００３１】
記録方式としては、次世代ＭＤ１の仕様も次世代ＭＤ２の仕様も、グルーブ記録方式が採用されている。つまり、グルーブ（ディスクの盤面上の溝）をトラックとして記録再生に用いるようにしている。
【００３２】
エラー訂正符号化方式としては、現行のＭＤシステムでは、ＡＣＩＲＣ(Advanced Cross Interleave Reed-Solomon Code) による畳み込み符号が用いられていたが、次世代ＭＤ１および次世代ＭＤ２の仕様では、ＲＳ−ＬＤＣ（Reed Solomon−Long Distance Code）とＢＩＳ（Burst Indicator Subcode ）とを組み合わせたブロック完結型の符号が用いられている。ブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行うことができる。
【００３３】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Address in Pregroove）と呼ばれている。現行のＭＤシステムと、次世代ＭＤ１および次世代ＭＤ２の仕様では、線密度が異なると共に、現行のＭＤシステムでは、エラー訂正符号として、ＡＣＩＲＣと呼ばれる畳み込み符号が用いられているのに対して、次世代ＭＤ１および次世代ＭＤ２の仕様では、ＬＤＣとＢＩＳとを組み合わせたブロック完結型の符号が用いられているため、冗長度が異なり、ＡＤＩＰとデータとの相対的な位置関係が変わっている。そこで、現行のＭＤシステムと同じ物理構造のディスクを流用する次世代ＭＤ１の仕様では、ＡＤＩＰ信号の扱いを、現行のＭＤシステムのときとは異なるようにしている。また、次世代ＭＤ２の仕様では、次世代ＭＤ２の仕様により合致するように、ＡＤＩＰ信号の仕様に変更を加えている。
【００３４】
変調方式については、現行のＭＤシステムでは、ＥＦＭ(8 to 14 Modulation)が用いられているのに対して、次世代ＭＤ１および次世代ＭＤ２の仕様では、ＲＬＬ（１，７）ＰＰ（ＲＬＬ;Run Length Limited , ＰＰ;Parity Preserve/Prohibit rmtr(repeated minimum transition runlength))（以下、１−７ｐｐ変調と称する）が採用されている。また、データの検出方式は、次世代ＭＤ１ではパーシャルレスポンスＰＲ（１，２，１）ＭＬを用い、次世代ＭＤ２ではパーシャルレスポンスＰＲ（１，−１）ＭＬを用いたビタビ復号方式とされている。
【００３５】
また、ディスク駆動方式はＣＬＶ（Constant Linear Verocity）またはＺＣＡＶ（Zone Constant Angular Verocity）で、その標準線速度は、次世代ＭＤ１の仕様では、２．４ｍ／秒とされ、次世代ＭＤ２の仕様では、１．９８ｍ／秒とされる。なお、現行のＭＤシステムの仕様では、６０分ディスクで１．２ｍ／秒、７４分ディスクで１．４ｍ／秒とされている。
【００３６】
現行のＭＤシステムで用いられるディスクをそのまま流用する次世代ＭＤ１の仕様では、ディスク１枚当たりのデータ総記録容量は約３００Ｍバイト（８０分ディスクを用いた場合）になる。変調方式がＥＦＭから１−７ｐｐ変調とされることで、ウィンドウマージンが０．５から０．６６６となり、この点で、１．３３倍の高密度化が実現できる。また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
【００３７】
ＤＷＤＤ技術を利用した次世代ＭＤ２の仕様のディスクでは、更に線密度方向の高密度化が図られ、データ総記録容量は、約１Ｇバイトになる。
【００３８】
データレートは標準線速度にて、次世代ＭＤ１では４．４Ｍビット／秒であり、次世代ＭＤ２では、９．８Ｍビット／秒である。
【００３９】
図１は、次世代ＭＤ１のディスクの構成を示すものである。次世代ＭＤ１のディスクは、現行のＭＤシステムのディスクをそのまま流用したものである。すなわち、ディスクは、透明のポリカーボネート基板上に、誘電体膜と、磁性膜と、誘電体膜と、反射膜とを積層して構成される。更に、その上に、保護膜が積層される。
【００４０】
次世代ＭＤ１のディスクでは、図１に示すように、ディスクの内周（ディスクのレコーダブル領域の最も内側の周（「最も内側」は、ディスクの中心から放射状に延びる方向において最も内側を示す）のリードイン領域に、Ｐ−ＴＯＣ（プリマスタードＴＯＣ（Table Of Contents)）領域が設けられる。ここは、物理的な構造としては、プリマスタード領域となる。すなわち、エンボスピットにより、コントロール情報等が、例えば、Ｐ−ＴＯＣ情報として記録されている。
【００４１】
Ｐ−ＴＯＣ領域が設けられるリードイン領域の外周（ディスクの中心から放射状に延びる方向において外側の周）は、レコーダブル領域（光磁気記録可能な領域）とされ、記録トラックの案内溝としてグルーブが形成された記録再生可能領域となっている。このレコーダブル領域の内周には、Ｕ−ＴＯＣ（ユーザＴＯＣ）が設けられる。
【００４２】
Ｕ−ＴＯＣは、現行のＭＤシステムでディスクの管理情報を記録するために用いられているＵ−ＴＯＣと同様の構成のものである。Ｕ−ＴＯＣは、現行のＭＤシステムにおいて、トラック（オーディオトラック／データトラック）の曲順、記録、消去などに応じて書き換えられる管理情報であり、各トラック（トラックを構成するパーツ）について、開始位置、終了位置や、モードを管理するものである。
【００４３】
Ｕ−ＴＯＣの外周には、アラートトラックが設けられる。このトラックには、ディスクが現行のＭＤシステムにロードされた場合に、ＭＤプレーヤによって起動（出力）される警告音が記録される。この警告音は、そのディスクが次世代ＭＤ１方式で使用され、現行のシステムでは再生できないことを示すものである。レコーダブル領域の残りの部分（詳しくは、図２に示されている）は、リードアウト領域まで、放射状に延びる方向に広がっている。
【００４４】
図２は、図１に示す次世代ＭＤ１の仕様のディスクのレコーダブル領域の構成を示すものである。図２に示すように、レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。ＥＦＭ変調でデータが変調されて記録される領域の外周に、次世代ＭＤ１方式の１−７ｐｐ変調でデータが変調されて記録される領域が設けられる。ＥＦＭでデータが変調されて記録される領域と、１−７ｐｐ変調でデータが変調されて記録される領域との間は所定の距離の間だけ離間されており、「ガードバンド」が設けられている。このようなガードバンドが設けられるため、現行のＭＤプレーヤに次世代ＭＤ１の仕様のディスクが装着されて、不具合が発生されることが防止される。
【００４５】
１−７ｐｐ変調でデータが変調されて記録される領域の先頭（内周側）には、ＤＤＴ（Disc Description Table）領域と、リザーブトラックが設けられる。ＤＤＴ領域には、物理的に欠陥のある領域に対する交替処理をするために設けられる。ＤＤＴ領域には、必要に応じて、ユニークＩＤ（ＵＩＤ）が記録される。ＵＩＤは、記録媒体毎に固有の識別コードであって、例えば所定に発生された乱数に基づく。リザーブトラックは、コンテンツの保護を図るための情報が格納される。
【００４６】
更に、１−７ｐｐ変調でデータが変調されて記録される領域には、ＦＡＴ（File Allocation Table ）領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。なお、ＦＡＴの用語は、前述したように、ＰＣオペレーティングシステムで利用される、様々な異なるファイル管理方法を示すように総括的に用いられている。
【００４７】
次世代ＭＤ１の仕様のディスクにおいては、Ｕ−ＴＯＣ領域には、アラートトラックの開始位置の情報と、１−７ｐｐ変調でデータが変調されて記録される領域の開始位置の情報が記録される。
【００４８】
現行のＭＤシステムのプレーヤに、次世代ＭＤ１のディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。アラートトラックには、このディスクが次世代ＭＤ１方式で使用され、現行のＭＤシステムのプレーヤでは再生できないことを示す警告音が記録されている。この警告音から、このディスクが現行のＭＤシステムのプレーヤでは使用できないことが知らされる。
【００４９】
なお、警告音としては、「このプレーヤでは使用できません」というような言語による警告とすることができる。勿論、単純なビープ音、トーン、又はその他の警告信号とするようにしても良い。
【００５０】
次世代ＭＤ１に準拠したプレーヤに、次世代ＭＤ１のディスクが装着されると、Ｕ−ＴＯＣ領域が読み取られ、Ｕ−ＴＯＣの情報から、１−７ｐｐ変調でデータが記録された領域の開始位置が分かり、ＤＤＴ、リザーブトラック、ＦＡＴ領域が読み取られる。１−７ｐｐ変調のデータの領域では、Ｕ−ＴＯＣを使わずに、ＦＡＴシステムを使ってデータの管理が行われる。
【００５１】
図３は、次世代ＭＤ２のディスクを示すものである。ディスクは、透明のポリカーボネート基板上に、誘電体膜と、磁性膜と、誘電体膜と、反射膜とを積層して構成される。更に、その上に、保護膜が積層される。
【００５２】
次世代ＭＤ２のディスクでは、図３Ａに示すように、ディスクの内周（ディスクの中心から放射状に延びる方向において内側の周）のリードイン領域には、ＡＤＩＰ信号により、コントロール情報が記録されている。次世代ＭＤ２のディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調で、データが変調されて記録される。
【００５３】
次世代ＭＤ２の仕様のディスクでは、図３Ｂに示すように、磁性膜として、情報を記録する記録層となる磁性層２０１と、切断層２０２と、情報再生用の磁性層２０３とが積層されたものが用いられる。切断層２０２は、交換結合力調整用層となる。所定の温度になると、切断層２０２が磁気的にニュートラルな状態になり、記録層２０１に転写されていた磁壁が再生用の磁性層２０３に転写される。これにより、記録層２０１では微少なマークが再生用の磁性層２０３のビームスポットの中に拡大されて見えるようになる。
【００５４】
次世代ＭＤ１であるか次世代ＭＤ２であるかは、例えば、リードインの情報から判断できる。すなわち、リードインにエンボスピットによるＰ−ＴＯＣが検出されれば、現行のＭＤまたは次世代ＭＤ１のディスクであると判断できる。リードインにＡＤＩＰ信号によるコントロール情報が検出され、エンボスピットによるＰ−ＴＯＣが検出されなければ、次世代ＭＤ２であると判断できる。なお、次世代ＭＤ１と次世代ＭＤ２との判別は、このような方法に限定されるものではない。オントラックのときとオフトラックのときとのトラッキングエラー信号の位相から判別することも可能である。勿論、ディスク識別用の検出孔等を設けるようにしても良い。
【００５５】
図４は、次世代ＭＤ２の仕様のディスクのレコーダブル領域の構成を示すものである。図４に示すように、レコーダブル領域では全て１−７ｐｐ変調でデータが変調されて記録され、１−７ｐｐ変調でデータが変調されて記録される領域の先頭（内周側）には、ＤＤＴ領域と、リザーブトラックが設けられる。ＤＤＴ領域は、物理的に欠陥のある領域に対する交替領域を管理するための交替領域管理データを記録するために設けられる。
【００５６】
具体的には、ＤＤＴ領域は、物理的に欠陥のある上記領域に替わるレコーダブル領域を含む置き換え領域を管理する管理テーブルを記録する。この管理テーブルは、欠陥があると判定された論理クラスタを記録し、その欠陥のある論理クラスタに替わるものとして割り当てられた置き換え領域内の論理クラスタ（１つ又は複数）も記録する。さらに、ＤＤＴ領域には、必要に応じて上述したＵＩＤが記録される。リザーブトラックは、コンテンツの保護を図るための情報が格納される。
【００５７】
更に、１−７ｐｐ変調でデータが変調されて記録される領域には、ＦＡＴ領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。
【００５８】
次世代ＭＤ２のディスクにおいては、Ｕ−ＴＯＣ領域は設けられていない。次世代ＭＤ２に準拠したプレーヤに、次世代ＭＤ２のディスクが装着されると、所定の位置にあるＤＤＴ、リザーブトラック、ＦＡＴ領域が読み取られ、ＦＡＴシステムを使ってデータの管理が行われる。
【００５９】
なお、次世代ＭＤ１および次世代ＭＤ２のディスクでは、時間のかかる初期化作業は不要とされる。すなわち、次世代ＭＤ１および次世代ＭＤ２の仕様のディスクでは、ＤＤＴやリザーブトラック、ＦＡＴテーブル等の最低限のテーブルの作成以外に、初期化作業は不要で、未使用のディスクからレコーダブル領域の記録再生を直接行うことが可能である。
【００６０】
次に、次世代ＭＤ１および次世代ＭＤ２のシステムの信号フォーマットについて説明する。現行のＭＤシステムでは、エラー訂正方式として、畳み込み符号であるＡＣＩＲＣが用いられており、サブコードブロックのデータ量に対応する２３５２バイトからなるセクタを記録再生のアクセス単位としている。畳み込み符号の場合には、エラー訂正符号化系列が複数のセクタに跨るため、データを書き換える際には、隣接するセクタ間に、リンキングセクタを用意する必要がある。アドレス方式としては、シングルスパイラルによるグルーブを形成したうえで、このグルーブの両側に対してアドレス情報としてのウォブルを形成したウォブルドグルーブ方式であるＡＤＩＰが使われている。現行のＭＤシステムでは、２３５２バイトからなるセクタをアクセスするのに最適なように、ＡＤＩＰ信号が配列されている。
【００６１】
これに対して、次世代ＭＤ１および次世代ＭＤ２のシステムの仕様では、ＬＤＣとＢＩＳとを組み合わせたブロック完結型の符号が用いられ、６４Ｋバイトを記録再生のアクセス単位としている。ブロック完結型の符号では、リンキングセクタは不要である。そこで、現行のＭＤシステムのディスクを流用する次世代ＭＤ１のシステムの仕様では、ＡＤＩＰ信号の扱いを、新たな記録方式に対応するように、変更するようにしている。また、次世代ＭＤ２のシステムの仕様では、次世代ＭＤ２の仕様により合致するように、ＡＤＩＰ信号の仕様に変更を加えている。
【００６２】
ＡＤＩＰ信号は、図５に示すように、シングルスパイラルのグルーブの両側に対してウォブルを形成することで記録される。すなわち、ＡＤＩＰ信号は、ＦＭ変調されたアドレスデータを有し、ディスク素材にグルーブのウォブルとして形成されることにより記録される。
【００６３】
図６は、次世代ＭＤ１の場合のＡＤＩＰ信号のセクタフォーマットを示すものである。
【００６４】
図６に示すように、ＡＤＩＰ信号の１セクタ（ＡＤＩＰセクタ）は、４ビットのシンクと、８ビットのＡＤＩＰクラスタナンバの上位ビットと、８ビットのＡＤＩＰクラスタナンバの下位ビットと、８ビットのＡＤＩＰセクタナンバと、１４ビットのエラー検出コードＣＲＣとからなる。
【００６５】
シンクは、ＡＤＩＰセクタの先頭を検出するための所定パターンの信号である。従来のＭＤシステムでは、畳み込み符号を使っているため、リンキングセクタが必要になる。リンキング用のセクタナンバは、負の値を持ったセクタナンバで、「ＦＣｈ」、「ＦＤｈ」、「ＦＥｈ」、「ＦＦｈ」（ｈは１６進数を示す）のセクタナンバのものである。次世代ＭＤ１では、現行のＭＤシステムのディスクを流用するため、このＡＤＩＰセクタのフォーマットは、現行のＭＤシステムのものと同様である。
【００６６】
図７は、次世代ＭＤ２の場合のＡＤＩＰセクタの構成を示すものである。次世代ＭＤ２の仕様では、ＡＤＩＰセクタが１６セクタで、ＡＤＩＰセクタが構成される。したがって、ＡＤＩＰのセクタナンバは、４ビットで表現できる。また、次世代ＭＤでは、ブロック完結のエラー訂正符号が用いられているため、リンキングセクタは不要である。
【００６７】
次世代ＭＤ２のＡＤＩＰセクタは、図７に示すように、４ビットのシンクと、４ビットのＡＤＩＰクラスタナンバの上位ビットと、８ビットのＡＤＩＰクラスタナンバの中位ビットと、４ビットのＡＤＩＰクラスタナンバの下位ビットと、４ビットのＡＤＩＰセクタナンバと、１８ビットのエラー訂正用のパリティとからなる。
【００６８】
シンクは、ＡＤＩＰセクタの先頭を検出するための所定パターンの信号である。ＡＤＩＰクラスタナンバとしては、上位４ビット、中位８ビット、下位４ビットの１６ビット分が記述される。１６個のＡＤＩＰセクタでＡＤＩＰクラスタが構成されるため、ＡＤＩＰセクタのセクタナンバは４ビットとされている。現行のＭＤシステムでは１４ビットのエラー検出コードであるが、１８ビットのエラー訂正用のパリティとなっている。そして、次世代ＭＤ２の仕様では、１つのＡＤＩＰクラスタに、１レコーディングブロック（６４Ｋバイト）のデータが配置される。
【００６９】
このようなディスクでは、記録再生を開始するときに、レーザパワーの制御等を行うために、各種のコントロール情報が必要である。次世代ＭＤ１の仕様のディスクでは、図１に示したように、リードイン領域にＰ−ＴＯＣが設けられており、このＰ−ＴＯＣから、各種のコントロール情報が取得される。
【００７０】
次世代ＭＤ２の仕様のディスクには、エンボスピットによるＰ−ＴＯＣは設けられず、コントロール情報がリードイン領域のＡＤＩＰ信号により記録される。また、次世代ＭＤ２の仕様のディスクでは、ＤＷＤＤの技術が使われるため、レーザのパワーコントロールが重要である。次世代ＭＤ２の仕様のディスクでは、リードイン領域とリードアウト領域には、パワーコントロール調整用のキャリブレーション領域が設けられる。
【００７１】
すなわち、図８は、次世代ＭＤ２の仕様のディスクのリードインおよびリードアウトの構成を示すものである。図８に示すように、ディスクのリードインおよびリードアウト領域には、レーザビームのパワーコントロール領域として、パワーキャリブレーション領域が設けられる。
【００７２】
また、リードイン領域には、ＡＤＩＰによるコントロール情報を記録したコントロール領域が設けられる。ＡＤＩＰによるコントロール情報の記録とは、ＡＤＩＰクラスタナンバの下位ビットとして割り当てられている領域を使って、ディスクのコントロール情報を記述するものである。
【００７３】
すなわち、ＡＤＩＰクラスタナンバは、レコーダブル領域の開始位置から始まっており、リードイン領域では負の値になっている。図８に示すように、次世代ＭＤ２のＡＤＩＰセクタは、４ビットのシンクと、８ビットのＡＤＩＰクラスタナンバの上位ビットと、８ビットのコントロールデータ（ＡＤＩＰクラスタナンバの下位ビット）と、４ビットのＡＤＩＰセクタナンバと、１８ビットのエラー訂正用のパリティとからなる。ＡＤＩＰクラスタナンバの下位ビットとして割り当てられている８ビットに、図８に示すように、ディスクタイプや、磁気位相、強度、読み出しパワー等のコントロール情報が記述される。
【００７４】
なお、ＡＤＩＰクラスタの上位ビットは、そのまま残されているので、現在位置は、ある程度の精度で知ることができる。また、ＡＤＩＰセクタ「０」と、ＡＤＩＰセクタ「８」は、ＡＤＩＰクラスタナンバの下位８ビットを残しておくことにより、所定間隔で、ＡＤＩＰクラスタを正確に知ることができる。
【００７５】
図９は、メディアドライブ部の構成を示すものである。メディアドライブ部は、現行のＭＤシステムのディスクと、次世代ＭＤ１のディスクと、次世代ＭＤ２のディスクとが装填されるターンテーブルを有しており。メディアドライブ部では、ターンテーブルに装填されたディスク９０をスピンドルモータ２９によってＣＬＶ方式で回転駆動させる。このディスク９０に対しては記録／再生時に光学ヘッド１９によってレーザ光が照射される。
【００７６】
光学ヘッド１９は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド１９には、ここでは詳しい図示は省略するがレーザ出力手段としてのレーザダイオード、偏光ビームスプリッタや対物レンズ等からなる光学系、および反射光を検出するためのディテクタが搭載されている。光学ヘッド１９に備えられる対物レンズとしては、例えば２軸機構によってディスク半径方向およびディスクに接離する方向に変位可能に保持されている。
【００７７】
また、ディスク９０を挟んで光学ヘッド１９と対向する位置には磁気ヘッド１８が配置されている。磁気ヘッド１８は記録データによって変調された磁界をディスク９０に印加する動作を行う。また、図示しないが光学ヘッド１９全体および磁気ヘッド１８をディスク半径方向に移動させためスレッドモータおよびスレッド機構が備えられている。
【００７８】
光学ヘッド１９および磁気ヘッド１８は、次世代ＭＤ２のディスクの場合には、パルス駆動磁界変調を行うことで、微少なマークを形成することができる。現行ＭＤのディスクや、次世代ＭＤ１のディスクの場合には、ＤＣ発光の磁界変調方式とされる。
【００７９】
このメディアドライブ部では、光学ヘッド１９、磁気ヘッド１８による記録再生ヘッド系、スピンドルモータ２９によるディスク回転駆動系のほかに、記録処理系、再生処理系、サーボ系等が設けられる。
【００８０】
なお、ディスク９０としては、現行のＭＤ仕様のディスクと、次世代ＭＤ１の仕様のディスクと、次世代ＭＤ２の仕様のディスクとが装着される可能性がある。これらのディスクにより、線速度が異なっている。スピンドルモータ２９は、これら線速度の異なる複数種類のディスクに対応する回転速度で回転させることが可能である。ターンテーブルに装填されたディスク９０は、現行のＭＤ仕様のディスクの線速度と、次世代ＭＤ１の仕様のディスクの線速度と、次世代ＭＤ２の仕様のディスクの線速度とに対応して回転される。
【００８１】
記録処理系では、現行のＭＤシステムのディスクの場合に、オーディオトラックの記録時に、ＡＣＩＲＣでエラー訂正符号化を行い、ＥＦＭで変調してデータを記録する部位と、次世代ＭＤ１または次世代ＭＤ２の場合に、ＢＩＳとＬＤＣを組み合わせた方式でエラー訂正符号化を行い、１−７ｐｐ変調で変調して記録する部位が設けられる。
【００８２】
再生処理系では、現行のＭＤシステムのディスクの再生時に、ＥＦＭの復調とＡＣＩＲＣによるエラー訂正処理と、次世代ＭＤ１または次世代ＭＤ２システムのディスクの再生時に、パーシャルレスポンスおよびビタビ復号を用いたデータ検出に基づく１−７復調と、ＢＩＳとＬＤＣによるエラー訂正処理とを行う部位が設けられる。
【００８３】
また、現行のＭＤシステムや次世代ＭＤ１のＡＤＩＰ信号よるアドレスをデコードする部位と、次世代ＭＤ２のＡＤＩＰ信号をデコードする部位とが設けられる。
【００８４】
光学ヘッド１９のディスク９０に対するレーザ照射によりその反射光として検出された情報（フォトディテクタによりレーザ反射光を検出して得られる光電流）は、ＲＦアンプ２１に供給される。
【００８５】
ＲＦアンプ２１では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク９０にトラックのウォブリングにより記録されているＡＤＩＰ情報）等を抽出する。
【００８６】
現行のＭＤシステムのディスクを再生するときには、ＲＦアンプで得られた再生ＲＦ信号は、ＥＦＭ復調部２４およびＡＣＩＲＣデコーダ２５で処理される。すなわち再生ＲＦ信号は、ＥＦＭ復調部２４で２値化されてＥＦＭ信号列とされた後、ＥＦＭ復調され、更にＡＣＩＲＣデコーダ２５で誤り訂正およびデインターリーブ処理される。すなわちこの時点でＡＴＲＡＣ圧縮データの状態となる。
【００８７】
そして現行のＭＤシステムのディスクの再生時には、セレクタ２６はＢ接点側が選択されており、その復調されたＡＴＲＡＣ圧縮データがディスク９０からの再生データとして出力される。
【００８８】
一方、次世代ＭＤ１または次世代ＭＤ２のディスクを再生するときには、ＲＦアンプで得られた再生ＲＦ信号は、ＲＬＬ（１−７）ＰＰ復調部２２およびＲＳ−ＬＤＣデコーダ２３で処理される。すなわち再生ＲＦ信号は、ＲＬＬ（１−７）ＰＰ復調部２２において、ＰＲ（１，２，１）ＭＬまたはＰＲ（１，−１）ＭＬおよびビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ２３で誤り訂正およびデインターリーブ処理される。
【００８９】
そして次世代ＭＤ１または次世代ＭＤ２のディスクの再生時には、セレクタ２６はＡ接点側が選択されており、その復調されたデータがディスク９０からの再生データとして出力される。
【００９０】
ＲＦアンプ２１から出力されるトラッキングエラー信号ＴＥ、フォーカスエラー信号ＦＥはサーボ回路２７に供給され、グルーブ情報はＡＤＩＰ復調部３０に供給される。
【００９１】
ＡＤＩＰ復調部３０は、グルーブ情報に対してバンドパスフィルタにより帯域制限してウォブル成分を抽出した後、ＦＭ復調、バイフェーズ復調を行ってＡＤＩＰ信号を復調する。復調されたＡＤＩＰ信号は、アドレスデコーダ３２およびアドレスデコーダ３３に供給される。
【００９２】
現行のＭＤシステムのディスクまたは次世代ＭＤ１のシステムのディスクでは、図６に示したように、ＡＤＩＰセクタナンバが８ビットになっている。これに対して、次世代ＭＤ２のシステムのディスクでは、図７に示したように、ＡＤＩＰセクタナンバが４ビットになっている。アドレスデコーダ３２は、現行のＭＤまたは次世代ＭＤ１のＡＤＩＰアドレスをデコードする。アドレスデコーダ３３は、次世代ＭＤ２のアドレスをデコードする。
【００９３】
アドレスデコーダ３２および３３でデコードされたＡＤＩＰアドレスは、ドライブコントローラ３１に供給される。ドライブコントローラ３１ではＡＤＩＰアドレスに基づいて、所要の制御処理を実行する。またグルーブ情報はスピンドルサーボ制御のためにサーボ回路２７に供給される。
【００９４】
サーボ回路２７は、例えばグルーブ情報に対して再生クロック（デコード時のＰＬＬ系クロック）との位相誤差を積分して得られる誤差信号に基づき、ＣＬＶまたはＣＡＶサーボ制御のためのスピンドルエラー信号を生成する。
【００９５】
またサーボ回路２７は、スピンドルエラー信号や、ＲＦアンプ２１から供給されたトラッキングエラー信号、フォーカスエラー信号、あるいはドライブコントローラ３１からのトラックジャンプ指令、アクセス指令等に基づいて各種サーボ制御信号（トラッキング制御信号、フォーカス制御信号、スレッド制御信号、スピンドル制御信号等）を生成し、モータドライバ２８に対して出力する。すなわち上記サーボエラー信号や指令に対して位相補償処理、ゲイン処理、目標値設定処理等の必要処理を行って各種サーボ制御信号を生成する。
【００９６】
モータドライバ２８では、サーボ回路２７から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ２９を駆動するスピンドルモータ駆動信号となる。このようなサーボドライブ信号により、ディスク９０に対するフォーカス制御、トラッキング制御、およびスピンドルモータ２９に対するＣＬＶまたはＣＡＶ制御が行われることになる。
【００９７】
現行のＭＤシステムのディスクでオーディオデータを記録するときには、セレクタ１６がＢ接点に接続され、したがってＡＣＩＲＣエンコーダ１４およびＥＦＭ変調部１５が機能することになる。この場合、オーディオ処理部１０からの圧縮データはＡＣＩＲＣエンコーダ１４でインターリーブおよびエラー訂正コード付加が行われた後、ＥＦＭ変調部１５でＥＦＭ変調が行われる。
【００９８】
そしてＥＦＭ変調データがセレクタ１６を介して磁気ヘッドドライバ１７に供給され、磁気ヘッド１８がディスク９０に対してＥＦＭ変調データに基づいた磁界印加を行うことでオーディオトラックの記録が行われる。
【００９９】
次世代ＭＤ１または次世代ＭＤ２のディスクにデータを記録するときには、セレクタ１６がＡ接点に接続され、したがってＲＳ−ＬＤＣエンコーダ１２およびＲＬＬ（１−７）ＰＰ変調部１３が機能することになる。この場合、メモリ転送コントローラ３からの高密度データはＲＳ−ＬＤＣエンコーダ１２でインターリーブおよびＲＳ−ＬＤＣ方式のエラー訂正コード付加が行われた後、ＲＬＬ（１−７）ＰＰ変調部１３でＲＬＬ（１−７）変調が行われる。
【０１００】
そしてＲＬＬ（１−７）符号列としての記録データがセレクタ１６を介して磁気ヘッドドライバ１７に供給され、磁気ヘッド１８がディスク９０に対して変調データに基づいた磁界印加を行うことでデータトラックの記録が行われる。
【０１０１】
レーザドライバ／ＡＰＣ２０は、上記のような再生時および記録時においてレーザダイオードにレーザ発光動作を実行させるが、いわゆるＡＰＣ（Automatic Lazer Power Control ）動作も行う。
【０１０２】
すなわち、図示していないが、光学ヘッド１９内にはレーザパワーモニタ用のディテクタが設けられ、そのモニタ信号がレーザドライバ／ＡＰＣ２０にフィードバックされる。レーザドライバ／ＡＰＣ２０は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。
【０１０３】
なお、レーザパワーとしては、リードパワー、記録レーザパワーとしての値がドライブコントローラ３１によって、レーザドライバ／ＡＰＣ２０内部のレジスタにセットされる。
【０１０４】
ドライブコントローラ３１は、システムコントローラ９からの指示に基づいて、以上の各動作（アクセス、各種サーボ、データ書込、データ読出の各動作）が実行されるように制御を行う。
【０１０５】
なお、図９において一点鎖線で囲ったＡ部、Ｂ部は、例えば１チップの回路部として構成できる。
【０１０６】
次に、この発明の再生装置に備えられる光ディスクの判別方法について説明する。図１０はディスクのＲＦ信号のリードパワー特性を示すグラフである。横軸はレーザ光のリードパワーの強度を示し、縦軸はＲＦ信号のＰ−Ｂ（Peak-Bottom）値およびエラーレート（Err Rate）を示す。
【０１０７】
上述した通り、次世代ＭＤ２のディスクは、各ディスクによりリードパワーの最適値がばらつく特性を有するため、リードパワーの最適値の設定が行われる。リードパワーの最適値の設定は、ＭＤ装着時や、パワーオンにしたときなどになされる。なお、リードパワーを固定し、ライトパワーを最適値に設定するライトパワー調整がなされ、そのリードパワー調整がなされる。
【０１０８】
図１０において、曲線ＥＲは、レーザ光のリードパワーの変化に対するエラーレートの変化を示す。エラーレートが低い値、即ち曲線ＥＲの最下端にリードパワーの最適値が設定される。リードパワーの最適値を設定する方法としては、例えば図１０の一定区間Ｌにおいて、リードパワーの出力をステップ状（若しくは連続的に）上げていき、その中でエラーレートの最も低い箇所をリードパワーの最適値とする方法がある。
【０１０９】
曲線Ａ、Ｂ、Ｃはディスク毎のＲＦ信号のＰ−Ｂ値の特性を示す。即ち、曲線Ａはデータが記録されているディスクの特性、曲線Ｂは一度データを記録し、記録したデータを消去したディスクの特性、曲線Ｃは未使用のディスクの特性を示す。
【０１１０】
図１０において各ディスクのＲＦ信号のＰ−Ｂ値と閾値とを比較すると曲線Ａが閾値を超えており、曲線Ｂ、曲線Ｃは閾値を超えていない。このことからＲＦ信号のＰ−Ｂ値が閾値を超えた場合はディスクにデータが記録されており、閾値を超えない場合はディスクにデータが記録されていない、即ちブランクディスクと判別することができる。
【０１１１】
リードパワーの最適値の設定方法について図１１に示すフローチャートを用いて説明する。再生装置にディスク例えば上述した次世代ＭＤ２ディスクが装着されると、ステップＳ１において管理領域（ＤＤＴエリア）に存在するデータのリードが行われる。ステップＳ２においてブランク判定ＦＬＧがＯＮとされる。ブランク判定ＦＬＧをＯＮとすることによりリードパワーを調整するときに、後述するＲＦ信号の計測、ＲＦ信号と閾値との比較等の一連の動作が行われる。
【０１１２】
ステップＳ３において低いリードパワーの値からＤＤＴエリアにレーザ光を照射しリードを開始する。ステップＳ４では、ＤＤＴエリアのデータを読み取ることができたか、換言すればリードパワーが最適値に設定されたか否かが判別される。上述した通り、リードパワーの最適値は段階的に出力を上げながら決定されるため、初回のステップＳ４では最適値は決定されず動作はステップＳ５へと進む。
【０１１３】
ステップＳ５では、リトライオーバーか即ちリードパワーの最適値を決定するためのリードの回数が所定の回数を超えたか否かが判断される。この一実施形態ではリードの回数を例えば８回まで行うことが可能とされている。リトライオーバーでない、即ちリードの回数が８回を超えていなければステップＳ６へと動作が進む。ステップＳ６ではリードパワーが所定量増加される。上述した一連の動作（ステップＳ３〜ステップＳ６）をこの一実施形態では最大で８回繰り返すことになる。
【０１１４】
ステップＳ４においてリードＯＫつまりリードパワーの最適値が決定されると動作はステップＳ７へと進む。ステップＳ７ではステップＳ２でＯＮとされたブランク判定ＦＬＧがＯＦＦとされる。続いて動作はステップＳ８へと移り、リードパワーの最適値が設定されたため正常終了とされる。ステップＳ８の状態はディスクにデータが記録されており、正常に再生することができる状態である。従ってブランクディスクの表示がなされない。
【０１１５】
ステップＳ５において８回のリードが終了してもリードパワーの最適値を決定できない場合、動作はステップＳ９へと進む。ステップＳ９では、ＲＦ ＯＫ ＦＬＧが０か１であるかが判断される。ＲＦ ＯＫ ＦＬＧは、ＲＦ信号のＰ−Ｂ値が閾値を一度でも超えた場合に０以外となり、超えないときは０となるフラグである。ＲＦ ＯＫ ＦＬＧは、ブランクディスクかリードエラーであるかを示すフラグである。
【０１１６】
ＲＦ ＯＫ ＦＬＧが０であれば動作はステップＳ１０へ進み、ブランク判定ＦＬＧがＯＦＦとされディスクはブランクディスクと判別される（ステップＳ１１）。光ディスク装置の表示部には装着したディスクがブランクディスクである旨の表示メッセージが表示される。
【０１１７】
また、ステップＳ９においてＲＦ ＯＫ ＦＬＧが０以外であれば、動作はステップＳ１２に進みブランクディスクＦＬＧがＯＦＦとされ光ディスク装置の表示部にはリードエラーである旨の表示メッセージが表示される（ステップＳ１３）。なお、ディスクの判別処理とＲＦ ＯＫ ＦＬＧの関係については後述する。
【０１１８】
次にＲＦ ＯＫ ＦＬＧについて図１２を用いて説明する。図１２はディスクのＲＦ信号のＰ−Ｂ値を計測し、閾値と比較することによりＲＦ ＯＫ ＦＬＧを作成する方法を示すフローチャートである。この一実施形態では、ＲＦ ＯＫ ＦＬＧを作成する一例としてＣＰＵにおける割り込み処理の方法を用いるが、この方法に限定されることはない。
【０１１９】
セクタシンク割り込み処理は、リードパワー調整のリード中に行われる（ステップＳ２１）。ここで、ステップＳ２１におけるセクタシンクはディスクのＡＤＩＰに記録されているアドレス情報を構成するセクタシンクを意味する。
【０１２０】
ステップＳ２２ではブランク判定ＦＬＧがＯＮであるかが判別される。ＯＦＦであれば、ＲＦ信号の計測等は行われないため、終了となる（ステップＳ３０）。ブランク判定ＦＬＧがＯＮであれば、動作はステップＳ２３へ進む。
【０１２１】
ステップＳ２３ではデータ取得要求ＦＬＧがＯＮであるかどうかが判別される。ここでデータとはＲＦ信号のＰ−Ｂ値を意味する。始めのセクタシンク割り込み処理ではデータ取得要求ＦＬＧはＯＦＦとされているため動作はステップＳ２４へ進む。
【０１２２】
ステップＳ２４ではＲＦ信号のＰ−Ｂ値の計測が行われる。計測が終了した後、動作はステップＳ２５に進み、データ取得要求ＦＬＧがＯＮとされる。ステップＳ２５でデータ取得要求ＦＬＧがＯＮとされた後は一度フローは終了する（ステップＳ３０）。
【０１２３】
上述した通り、リードパワー調整はＤＤＴエリアを複数回のリードすることにより行われる（図１１におけるステップＳ３）。即ち、リード中に行われるセクタシンク割り込み処理も複数回行われることとなる。
【０１２４】
次に、ステップＳ２３においてデータ取得要求ＦＬＧがＯＮである場合のフローについて説明する。ステップＳ２３においてデータ取得要求ＦＬＧがＯＮであると、動作はステップＳ２６へ進む。ステップＳ２６では計測したＲＦ信号のＰ−Ｂ値に関するデータが取得される。計測データが複数ある場合は、計測データの平均値が算出されるようにしてもよい。
【０１２５】
ＲＦ信号の計測データが取得されると、動作はステップＳ２７に進む。ステップＳ２７で取得されたＲＦ信号のＰ−Ｂ値に関する計測データ（取得データ）と閾値との比較が行われる。取得データが閾値を超えない場合は、ステップＳ２９に進み、データ取得要求ＦＬＧがＯＦＦとされ、セクタシンク割り込み処理が終了とされる（ステップＳ３０）。取得データが閾値を超える場合はＲＦ ＯＫ ＦＬＧが＋１とされ（ステップＳ２８）、データ取得要求ＦＬＧがＯＦＦとされ（ステップＳ２９）、セクタシンク割り込み処理が終了する（ステップＳ３０）。尚、この一実施形態では取得データが閾値を超えるときはＲＦ ＯＫ ＦＬＧを＋１としたが、この方法に限定されない。ＲＦ ＯＫ ＦＬＧ０と区別ができれば他の設定としてもよい。
【０１２６】
以上、図１２を用いて説明した方法によりＲＦ ＯＫ ＦＬＧが取得される。上述した図１１のステップＳ９において取得されたＲＦ ＯＫ ＦＬＧはディスクの判別処理に用いられる。即ち、ステップＳ９では、セクタシンク割り込み処理により作成されたＲＦ ＯＫ ＦＬＧが０か否かが判断される。ＲＦ ＯＫ ＦＬＧが０であれば、リードパワーが最適値でないためデータを得ることができず、ＲＦ信号のＰ−Ｂ値が一度も閾値を超えないのでディスクはブランクディスクと判別される（ステップＳ１１）。ブランクディスクと判別されるディスクは、例えば図１０における曲線Ｂ、曲線Ｃの特性を示すディスクが該当する。
【０１２７】
また、ＲＦ ＯＫ ＦＬＧが０でないことは、ＲＦ信号は検出されたが、リードパワーの最適値が決定できないことを意味するのでリードエラーと判別される（ステップＳ１３）。例えば、記録されているデータが破損しているようなディスクはリードエラーと判断される。
【０１２８】
図１３Ａ〜Ｄはリードパワーの調整とセクタシンク割り込み処理との関係を示す。図１３ＡはＲＦ信号の一例を示し、図１３ＢはＲＦ信号のＰ−Ｂ値の計測期間を示す。また、図１３Ｄは上述したリードパワーの８回の調整を示し、そのうち６回目の調整を拡大したものが図１３Ｃである。
【０１２９】
例えば、図１３Ｃに示す６回目のリード中に、図１３Ｂに示すタイミングでＲＦ信号の計測が行われる。ＲＦ信号の計測がストップした時点でＲＦ信号のＰ−Ｂ値の平均値が求められ、閾値と比較され、リードＯＫか否かが判別される。
【０１３０】
リードＯＫでなければリトライオーバーか否かが判定される。６回目のためリトライオーバーでないのでリードパワーが所定量増加されて、７回目の処理がなされる。リードを８回繰り返してもリードパワーの最適値が決定できないときは、ＲＦ ＯＫ ＦＬＧの情報に基づき、ディスクの状態が判別される。
【０１３１】
この発明は、上述した一実施形態に限定されるものではなく、この発明の要旨を逸脱しない範囲内でさまざまな変形や応用が可能である。例えば、この発明は相変化メディアなどの記録媒体にも適用することができる。特にリードパワーとライトパワーが近似している記録媒体には好適である。
【図面の簡単な説明】
【０１３２】
【図１】この発明を適用できる次世代ＭＤ１システムの仕様のディスクの説明に用いる図である。
【図２】次世代ＭＤ１システムの仕様のディスクの記録領域の説明に用いる図である。
【図３】次世代ＭＤ２システムの仕様のディスクの説明に用いる図である。
【図４】次世代ＭＤ２システムの仕様のディスクの記録領域の説明に用いる図である。
【図５】ウォブルを用いたアドレス信号の生成の説明に用いる斜視図である。
【図６】現行のＭＤシステムおよび次世代ＭＤ１システムのＡＤＩＰ信号の説明に用いる図である。
【図７】次世代ＭＤ２システムのＡＤＩＰ信号の説明に用いる図である。
【図８】次世代ＭＤ２システムでのコントロール信号の説明に用いる図である。
【図９】メディアドライブ部の構成を示すブロック図である。
【図１０】ディスク毎のリードパワー特性およびエラーレートを示すグラフである。
【図１１】この発明の一実施形態におけるディスクの判別処理の流れを示すフローチャートである。
【図１２】この発明の一実施形態におけるセクタシンク割り込み処理の流れを示すフローチャートである。
【図１３】この発明の一実施形態におけるリードパワー調整とセクタシンク割り込み処理との関係を示す略線図である。
【図１４】ＤＷＤＤ技術の説明に用いる略線図である。
【符号の説明】
【０１３３】
１２・・・ＲＳ−ＬＤＣエンコーダ
１３・・・１−７ｐｐ変調部
１４・・・ＡＣＩＲＣエンコーダ
１５・・・ＥＦＭ変調部
１６・・・セレクタ
１７・・・磁気ヘッドドライバ
１８・・・磁気ヘッド
１９・・・光学ヘッド
２２・・・１−７復調部
２３・・・ＲＳ−ＬＤＣデコーダ
２４・・・ＥＦＭ復調部
２５・・・ＡＣＩＲＣデコーダ
２６・・・セレクタ
３０・・・ＡＤＩＰ復調部
【図１】
2005222665.tif 000003
【図２】
2005222665.tif 000004
【図３】
2005222665.tif 000005
【図４】
2005222665.tif 000006
【図５】
2005222665.tif 000007
【図６】
2005222665.tif 000008
【図７】
2005222665.tif 000009
【図８】
2005222665.tif 000010
【図９】
2005222665.tif 000011
【図１０】
2005222665.tif 000012
【図１１】
2005222665.tif 000013
【図１２】
2005222665.tif 000014
【図１３】
2005222665.tif 000015
【図１４】
2005222665.tif 000016